(57)【要約】【目的】ハリスが連結具の内側或いは外側に引っかからないため、ハリスが連結具に絡んだり、予期せぬハリスの外れを生じない連結具であって、しかもハリスの交換が容易な釣り糸連結具を提供することを目的とする。【構成】先端がフック状の連結具本体基部に開閉バネ金具を回動自在に連結すると共に、これを外側或いは内側に向けてくの字型に折曲し、フック状先端を開閉バネ金具のＵ字端へ係合して連結具本体の内側或いは外側に、ハリスの引っ掛かりを生じさせる凹凸を無くすと共に、開閉バネ金具にハリス脱着時のガイドとしての機能を持たせるのである。【選択図】図１
2007135450.tif 000002
【特許請求の範囲】
【請求項１】
フック状の連結具本体基部に、弾性を有する鋼線をＵ字状に折曲すると共に外側に向けて略くの字状に折曲した開閉金具の一端を回動自在に連結し、
開閉金具のＵ字端を外側に突出させると共に、フック先端部を係合させたことを特徴とする釣り用連結具。  
【請求項２】
フック状の連結具本体基部に、弾性を有する鋼線をＵ字状に折曲すると共に内側に向けて略くの字状に折曲した開閉金具の一端を回動自在に連結し、
開閉金具のＵ字端を内側に突出させると共に、フック先端部を係合させたことを特徴とする釣り用連結具。
【請求項３】
フック状の連結具本体基部に鋼線の一端を巻設し、外側に向けて略くの字状に折曲した鋼線のＵ字状部にフック先端を係合すると共に鋼線の両脚間に金属片を架設し、鋼線他端を金属片内に収納したことを特徴とする釣り用連結具。
【請求項４】
フック状の連結具本体基部にＵ字状に折曲した弾力性のある鋼線の両端を回動自在に連結し、鋼線のＵ字状部に開閉自在にフック端部を係合したことを特徴とする釣り用連結具。
【請求項５】
薄い金属片の中央部を輪状に折曲して道糸結束部とし、一端を外側に向けて略くの字状に形成すると共に他端をフック状に一体形成し、両端部を当接させてハリス連結部としたことを特徴とする釣り用連結具。
【発明の詳細な説明】
【技術分野】
【０００１】
この発明は魚釣りに使用する釣り糸連結具に関する。
【背景技術】
【０００２】
フック状連結具本体と連結具本体基部に回動自在に取り付けたバネ金具から構成される釣り用連結具が知られている。
【０００３】
また、特許文献として実用新案登録第3069818号公報や、実用新案登録第3066247号公報がある。
【０００４】
実用新案登録第3069818号公報記載の考案は、極細の連結具本体の上部に道糸を取り付けるための環状部が設けられており、下部に水中糸（ハリス）取り付け糸止め部と糸抜け防止用止め具が上下動可能に設けられている。
【０００５】
実用新案登録第3066247号公報記載の考案は鋼線を用いて環状部、折曲掛止部及びＵ字状部を設け、鍵状に曲成した鋼線の末端を折曲掛止部に掛止させるものである。  
【特許文献１】実用新案登録第3069818号公報
【特許文献２】実用新案登録第3066247号公報
【発明の開示】
【発明が解決しようとする課題】
【０００６】
釣り糸の連結具は連結具本体上部の環状部に回転体を介して道糸を結束したさる環を連結し、開閉具とフック部からなる連結具本体上部に、先端を輪状に形成した水中糸（ハリス）を連結するものである。
【０００７】
ところが従来の連結具はハリス連結部の内側或いは外側に凹凸或いは突出個所があり、該部分にハリスの輪が引っかかりやすく、そのためハリスが絡む或いは容易に外れるなどの欠点があった。
【０００８】
また、ハリスの取り外しは開閉具とフック部の係合を開放するか、又は開閉具とフック間に間隙を形成する必要があり、連結具自体が小さな部品であるため、ハリスの脱着が容易ではなかった。  
【０００９】
また、特許文献1記載の考案は糸締め具が極細なため、力を掛けすぎるとハリスの着け外し時に連結具本体がゆがんで先端が拡開するおそれがあり、また、連結具本体に上下動可能に取り付けた糸〆具と連結具本体の糸止め部との間隙が大きくなりすぎてこれらが当接しなくなり、ハリスの先端に形成した輪が連結具から容易に外れてしまうという欠点があった。
【００１０】
特許文献２記載の考案は、本来小さい部品である、連結具本体を片手で把持し、もう一方の手で鋼線の末端を折曲掛止部から外す細かな作業が必要となり、ハリスの交換が容易ではなかった。
【００１１】
そこで、本発明ではハリスが連結具の内側或いは外側に引っかかることがなく、しかも
ハリスの交換が容易な釣り糸連結具を提供することを目的とする。
【課題を解決するための手段】
【００１２】
前記の目的を達成するために、本発明ではハリスの脱着時に、開閉具にハリスの輪状部のガイド部としての機能を持たせて、ハリスの取り外しを容易とすると共に連結具の内側或いは外側に引っ掛かりをなくしてハリスの絡み或いはハリスの予期せぬはずれを防止するのである。
【００１３】
具体的には請求項１記載の連結具は、上端に道糸を連結する環状部を有するフック状の連結具本体基部に、鋼線をＵ字状に折曲して形成した開閉バネ金具の一端を回動自在に連結すると共に、これを外側に向けて略くの字状に折曲し、開閉バネ金具のＵ字端である自由端を外側に突出させると共に、フック端部をこのＵ字端へ係合するのである。
【００１４】
請求項２記載の連結具は、上端に道糸を連結する環状部を有するフック状の連結具本体基部に、鋼線をＵ字状に折曲して形成した開閉バネ金具の一端を回動自在に連結すると共に、これを内側に向けて略くの字状に折曲し、開閉バネ金具のＵ字端である自由端を内側に突出させると共に、フック端部をこのＵ字端へ係合するのである。
【００１５】
請求項３記載の連結具は上端に道糸を連結する環状部を有するフック状の連結具本体基部側面に鋼線の一端を巻設し、外側に向けて略くの字状に折曲した鋼線のＵ字端に開閉自在にフック端部を係合するのである。
【００１６】
請求項４記載の連結具は上端に道糸を連結する環状部を有するフック状の連結具本体基部にＵ字状に折曲した弾力性のある鋼線の両端を回動自在に連結し、鋼線のＵ字端に開閉自在にフック端部を係合するのである。
【００１７】
請求項５記載の連結具は、上部を輪状に折曲して道糸連結部とした薄い平板の一端を外側に向けて略くの字状に形成すると共に他端をフック状に一体形成し、両端部を当接させてハリス連結部とするのである。
【発明の効果】
【００１８】
１.ハリス連結部の開閉具がハリス交換時のガイド部としての機能を果たすため、片手で連結具を把持し、もう一方の手でハリス先端を持って所定方向に力を加えるだけで開閉具が動き、形成された間隙からハリスの脱着が容易に行える。
２.連結具の内側或いは外側に凹凸、突出部がないため、ハリスが引っかかったり、絡んだりせず、予期せぬハリスのはずれも生じない。
【発明を実施するための最良の形態】
【００１９】
次に図面を参照しながら、最良の実施形態について説明する。
【００２０】
図１は請求項１記載の釣り糸連結具（以下、「連結具」と略す。）１の正面図である。
【００２１】
連結具１は上部に道糸を結束する環状部２を有し、先端１ａを折曲させたフック状を呈しており、弾性を有する鋼線３の両端部３ａを連結具基部１ｂに回動自在に連結すると共に、外側に向けて滑らかに略くの字状に折曲させて開閉具３とする。
【００２２】
開閉具３の自由端円弧３ｂはＵ字状を呈すると共に外側に若干突出しつつ、フック先端部１ａを当該円弧3ｂに係合してハリス連結部１ｃを形成している。
【００２３】
このように連結具１は内側に引っかかりとなる突出部がないためハリスが連結具の内側に絡むおそれがない。
【００２４】
連結具１を片手で把持し、先端に釣り針４を取り付け、上端５ａを輪状に結んだハリス５の輪状部５ａをもう一方の手で持って開閉具３の突出端３ｂに引っ掛け開閉具３を上方に持ち上げるようにして開閉具３とフックの係合を開放しながら、輪状部５ａを連結部１ｃへと導くのである。
【００２５】
このとき開閉具先端３ｂがハリスを内側へと導くガイドとしての機能を果たすのである。ハリスを取り外すときはハリス連結部１ｃの外側にあるハリス輪状部５ａをさらに内側へと導くと容易にハリスを取り外すことができるのである。
【００２６】
図２は請求項２記載の連結具６の正面図である。
【００２７】
連結具６は上部に道糸を結束する環状部７を有し、先端６ａを折曲させたフック状を呈しており、内側に向けて滑らかに略くの字状に折曲させた弾性を有する鋼線８の両端部８ａを連結具基部６ｂに回動自在に連結し、開閉具８とする。
【００２８】
開閉具８の自由端円弧８ｂはＵ字状を呈し、さらに内側に若干突出している。フック先端部６ａが当該Ｕ字上部8ｂに係合してハリス連結部６ｃを形成している。
【００２９】
ハリスを取り付けるときは、連結具６を片手で把持し、先端に釣り針を取り付け上端を輪状に結んだハリスの輪状部（図示せず）をもう一方の手で持って開閉具８の突出端８ｂに引っ掛けて、内側に引っ張ると輪状部は連結部６ｃへと導かれるのである。
【００３０】
このとき開閉具先端８ｂがハリスを内側へと導くガイドとしての機能を果たすのである。ハリスを取り外すときはハリス連結部６ｃ側に突出した開閉具先端８ｂにハリスの輪状部を引っ掛けて外側へ引っ張ると容易にハリスを取り外すことができるのである。
【００３１】
連結具６の開閉具の外側への屈曲部が丸みを帯びているため、ここにハリスが引っかかったり絡むおそれがない。
【００３２】
次に図３に示すのは請求項３記載の連結具９の斜視図、図４が同、平面図である。
【００３３】
連結具９は上部に道糸を結束する環状部１０を有し、先端９ｂを折曲させたフック状を呈しており、連結具本体側面９ａの上下に取り付けた開閉具取り付け部材１１、１２に弾性を有する鋼線の一端１３ａを巻設し、Ｕ字状に折曲させてフック係合部１３ｂを形成し
た後、台形状の金属片１４を鋼線の両脚に架設し他端部１３ｃを収納する。
【００３４】
一方、連結具本体の先端９ｂを折曲させてフック状とし、Ｕ字端１３ｂに係合させてハリス連結部９ｃを形成する。
【００３５】
開閉具１３の自由端円弧１３ｂは外側に若干突出している。
【００３６】
ハリス連結時には連結具９を片手で把持し、先端に釣り針を取り付け、上端を輪状に結んだハリスの輪状部をもう一方の手で持って開閉具１３の突出端１３ｂに引っ掛け、開閉具１３をガイドとしてハリス輪状部を内側に引っ張ると、開閉具１３とフック先端９ｂ間に隙間が生じ、輪状部は連結部９ｃへと導かれるのである。
【００３７】
ハリスを取り外すときはハリス連結部９ｃの外側にあるハリス輪状部をさらに内側へと導くと容易にハリス交換が行えるのである。
【００３８】
さらに、連結具９の開閉具１３の外側への突出部がＵ字状で丸みを帯びているため、ハリスが引っかかったり絡むおそれがない。  
【００３９】
図５は請求項４記載の連結具の正面図、図６が同、斜視図、図７が同、平面図である。
【００４０】
連結具１５は上部に道糸を結束する環状部１６を有し、先端１５ｂをフック状に折曲させており、弾性を有する鋼線１７を折曲してＵ字状とした両端部１７ｂ、１７ｃを連結具基部１５ａに回動自在に連結して開閉具１７とする。
【００４１】
開閉具１７の自由端円弧１７ａは外側に若干突出しつつ、フック先端部１５ｂを円弧内に係合してハリス連結部１５ｃを形成している。
【００４２】
ハリスを連結するときは連結具１５を片手で把持し、先端に釣り針を取り付けて上端を輪状に結んだハリスの輪状部をもう一方の手で持って開閉具１７の突出端に引っ掛けて開閉具１７を上方に持ち上げると開閉具１７とフック１５ｂの係合が開放されて輪状部が連結具１５の連結部１５ｃへと導かれるのである。
【００４３】
このとき開閉具１７はハリスを内側へと導くガイドとしての機能を果たすのである。ハリスを取り外すときはハリス連結部１５ｃの外側にあるハリス輪状部をさらに内側へと導くと容易にハリスを取り外すことができるのである。
【００４４】
さらに、連結具１５はフック先端部１５ｂが開閉具の自由端円弧17ａ内に係合しているため内側に引っかかりとなる突出部がなく、連結したハリスが連結具の内側に絡むおそれがない。
【００４５】
図８は請求項５記載の連結具の斜視図である。
【００４６】
連結具１８は薄い金属板を一体成型したもので、上部を輪状に折曲して道糸結束部１８ａとする。
【００４７】
先端１８ｂを折曲してフック状とし、他端は外側に向けてくの字状に折曲し、両端部１８ｂ、１８ｃを当接させて、ハリス連結部１８ｄを形成する。他端１８ｃは若干外側に向けて突出している。
【００４８】
ハリス脱着方法は上述のとおりである。すなわち輪状に結んだハリス先端を突出部１８ｃに引っ掛けて内側に引っ張ると、連結具のフック部がガイドとなってハリス輪状部が連結部１８ｄへと導かれ、同様に外側に残された輪状部をさらに内側に引っ張るとハリスを容易に取り外せるのである。
【００４９】
しかも、連結具１８は内側に引っかかりとなる突出部がないため連結したハリスが連結具の内側に絡むおそれがない。
【産業上の利用可能性】
【００５０】
本発明は釣り用糸の連結具に利用可能である。
【図面の簡単な説明】
【００５１】
【図１】請求項１記載の連結具の正面図。
【図２】請求項２記載の連結具の正面図。
【図３】請求項３記載の連結具の斜視図。
【図４】請求項３記載の連結具の平面図。
【図５】請求項４記載の連結具の正面図。
【図６】請求項４記載の連結具の斜視図。
【図７】請求項４記載の連結具の平面図。
【図８】請求項５記載の連結具の斜視図。
【符号の説明】
【００５２】
1、６、９、１5、１８、釣り糸連結具
３、８、１３、１７、開閉具
【図１】
2007135450.tif 000003
【図２】
2007135450.tif 000004
【図３】
2007135450.tif 000005
【図４】
2007135450.tif 000006
【図５】
2007135450.tif 000007
【図６】
2007135450.tif 000008
【図７】
2007135450.tif 000009
【図８】
2007135450.tif 000010